(57)【要約】【課題】  分解能を上げることなくスムーズなミュート処理を行なう。【解決手段】    上記課題を解決するために、異なる電流源である第１の電流源及び第２の電流源２１と、ｎ個の抵抗Ｒ１〜Ｒｎと、第１の電流源２０と第２の電流源２１と抵抗Ｒ１〜Ｒｎによって生成される基準電圧とＲＳＳＩ信号とを比較するためのコンパレータ２２と、コンパレータ２２の出力信号をデジタル化するＡＤＣ処理回路２３と、を備えたＡＤＣ処理回路９を用いてＲＳＳＩ信号のＡ／Ｄ変換を行なう。【選択図】      図２
2006246267.tif 000002
【特許請求の範囲】
【請求項１】
互いに異なる複数の基準電圧を生成し、該基準電圧のいずれか一方と受信電界強度との比較結果から該受信電界強度のデジタル値を生成するＡ／Ｄ変換回路と、
該Ａ／Ｄ変換回路で生成されるデジタル値が所定の値以下になると該所定の値以下とならない程度に等しい前記基準電圧に切換えると共に、前記デジタル値に応じたミュート信号を生成するデジタル制御回路と、
該デジタル制御回路からのミュート信号に応じてオーディオ出力にミュート処理を行なうミュート回路と、
を備えることを特徴とするソフトミュート回路。
【請求項２】
前記Ａ／Ｄ変換回路は、互いに異なる第１の電流源と第２の電流源とを切換えることによって異なる基準電圧を生成し、該基準電圧と受信電界強度信号との比較結果が一致した前記基準電圧をデジタル値に変換して出力し、
前記デジタル制御回路は、
該Ａ／Ｄ変換回路で生成されるデジタル値と所定の値とを比較し、該所定の値以下になると前記第１の電流源から前記第２の電流源に切換えると共に、前記Ａ／Ｄ変換回路からの信号からミュート信号を生成して出力する、
ことを特徴とする請求項１に記載のソフトミュート回路。
【請求項３】
前記ミュート回路は、
直列に接続された２以上の抵抗がオペアンプに対して負帰還となるように接続され、
前記抵抗と前記オペアンプの出力端とには他の抵抗をバイパスするためのスイッチがそれぞれに設けられ、
前記ミュート信号に応じて前記スイッチのＯＮ／ＯＦＦを制御して前記オペアンプの利得を制御して該オペアンプに入力されるステレオ復調信号にミュート処理を行なう、
ことを特徴とする請求項２に記載のソフトミュート回路。
【請求項４】
受信電界強度の全範囲に対応した大きさの第１の基準電圧と、受信電界強度の所定のソフトミュート制御範囲に対応した大きさの第２の基準電圧と、を選択的に切換え可能であり、選択された方の基準電圧と受信電界強度との比較に基づいて該受信電界強度をデジタル値に変換するＡ／Ｄ変換手段と、
受信電界強度が前記ソフトミュート制御範囲外にある場合は前記Ａ／Ｄ変換手段の基準電圧を前記第１の基準電圧に切替え、一方、受信電界強度が前記ソフトミュート制御範囲内にある場合は前記Ａ／Ｄ変換手段の基準電圧を前記第２の基準電圧に切換える基準電圧切換制御手段と、
前記Ａ／Ｄ変換手段から出力された前記デジタル値に応じたミュート信号を生成するミュート信号生成手段と、
該ミュート信号生成手段からのミュート信号に応じてオーディオ出力にミュート処理を行なうミュート手段と、
を備えることを特徴とするソフトミュート回路。
【請求項５】
前記Ａ／Ｄ変換手段は、多段接続された複数の抵抗と、
該複数の抵抗に定電流を流して前記第１の基準電圧を生成するための第１の電流源と、
前記複数の抵抗に定電流を流して前記第２の基準電圧を生成するための、前記第１の電流源よりも電流値の小さな第２の電流源と、
前記基準電圧切換制御手段による制御に従って前記複数の抵抗と前記第１又は第２の電流源との接続を選択的に切換える第１のスイッチ手段と、
該第１のスイッチ手段により前記第１又は第２の電流源が選択された状態で、前記複数の抵抗に発生する電圧の取り出し位置を順次切換えることにより基準電圧の大きさを段階的に順次切換える第２のスイッチ手段と、
該第２のスイッチ手段で段階的に順次切換えられる基準電圧と受信電界強度との比較に基づいて該受信電界強度をデジタル値に変換する変換手段と、
を備えることを特徴とする請求項４に記載のソフトミュート回路。
【発明の詳細な説明】
【技術分野】
【０００１】
本発明は、ラジオ受信機の受信レベルが低下するに応じて、受信信号等にミュート処理を施してノイズを低減させ、聴感をよくするミュート回路に関する。
【背景技術】
【０００２】
ラジオ受信機では、受信レベルの低下に応じて徐々に（段階的に）その出力信号に対してミュート処理を行なうミュート回路を備えている。これにより、ノイズ感を低減して聴感を向上している。
【０００３】
上述のミュート処理は、ＲＳＳＩ回路等によって検出した受信レベル（受信電界強度）をＡ／Ｄコンバータでデジタル値に変換後、この値に基づいてミュート回路の利得をデジタル的に制御することで実現されている。
【０００４】
図６は、ミュート回路６２を備えるＦＭラジオ受信機の従来例を示している。
リミッタアンプ４で振幅一定となったＦＭ信号は、ＦＭ復調部５でＦＭ検波が行なわれ、ミュート回路６２を介してステレオ復調部７に入力される。ステレオ復調部７では、ＦＭ信号からステレオ信号を生成しスピーカー等に出力される。
【０００５】
一方、ＲＳＳＩ回路８は、リミッタアンプ４の出力信号から受信電界強度（以下、「ＲＳＳＩ信号」という）を検出し、検出されたＲＳＳＩ信号は、ＡＤＣ回路６０でデジタル化されてデジタル制御部６１に入力される。
【０００６】
デジタル制御部６１では、ＲＳＳＩ信号に応じて、ミュート信号を生成しミュート回路６２に出力する。そして、ミュート回路６２では、ＦＭ復調部５で検波された信号に対してミュート信号に応じたミュート処理を行なうこととなる。
【０００７】
また、図６に示したＡＤＣ回路６０は、図７に示すように、基準電圧を生成する電流源７０と、ｎ個の抵抗Ｒ１〜Ｒｎと、電流源７０と抵抗Ｒ１〜Ｒｎから生成される基準電圧とＲＳＳＩ信号とを比較するコンパレータ２２と、コンパレータ２２の出力信号をデジタル化するＡＤＣ処理回路７１と、を備えている。
【０００８】
ＡＤＣ処理回路７１は、ＳＷ１〜ＳＷｎ−１を順次ＯＮ状態に切換えて、各抵抗での電位とＲＳＳＩ信号とをコンパレータ２２で比較して一致した電位をｎビットのデジタル信号に変換する。そして、変換されたデジタル信号は、デジタル制御部６１に入力される。
【０００９】
以上に説明したＡＤＣ回路６０、及びミュート回路６２の出力信号は、それぞれ図８、図９のようになる。
図８及び図９は、ＡＤＣ回路６０が４ビット分解能の場合を示している。したがって、図８に示すように、ＲＳＳＩ回路８からの信号Ｖｍｉｎ〜Ｖｍａｘは、１６分割されたデジタル値に変換されている。
【００１０】
また、ミュート回路６２は、図８に示すソフトミュート制御区間において、当該デジタル値にしたがってミュート処理を行なうので、オーディオ出力レベルも段階的に出力レベルが変位する。
【特許文献１】特開平０６−２７６４０８号公報
【特許文献２】特開２０００−１６５２４２号公報
【発明の開示】
【発明が解決しようとする課題】
【００１１】
図８及び図９に示すように、オーディオ出力レベルは、ソフトミュート制御区間のＲＳＳＩ信号に対する分解能に依存し、階段状の波形となる。すなわち、スピーカ等に出力されるオーディオ出力は、段階的にミュートされているように聞こえることとなる。
【００１２】
聴感上、この階段の段差をできるだけ小さくしたいが、ＡＤＣ回路６０の分解能を上げる必要があり、回路規模が大きくなってしまうという問題があった。
特許文献１には、第１の基準電圧発生部でＡＤ変換最高端電位を決定し、第２又は第３の基準電圧発生部を選択的に切換えることによってＡＤ変換最低端電位を決定することにより、入力信号を最適なダイナミックレンジでＡＤ変換処理を行なうレンジ可変ＡＤ変換装置について開示されている。
【００１３】
特許文献２には、入力電圧レベルに合わせて、Ｄ／Ａ変換器又はＡ／Ｄ変換器の基準電圧を可変にすることによって、Ｄ／Ａ変換器又はＡ／Ｄ変換器のダイナミックレンジを拡大するＤ／Ａ変換器又はＡ／Ｄ変換器について開示されている。
【００１４】
本発明は、上述した問題に鑑みてなされたものであり、その解決しようとする課題は、分解能を上げることなくスムーズなミュート処理を行なうことが可能となるソフトミュート回路を提供することである。
【課題を解決するための手段】
【００１５】
上記課題を解決するために、本発明に係るソフトミュート回路は、異なる基準電圧を生成し、該基準電圧のいずれか一方と受信電界強度との比較結果から該受信電界強度のデジタル値を生成するＡ／Ｄ変換回路と、該Ａ／Ｄ変換回路で生成されるデジタル値が所定の値以下になると前記基準電圧を他方の基準電圧に切換えると共に、前記デジタル値に応じたミュート信号を生成するデジタル制御回路と、該デジタル制御回路からのミュート信号に応じてオーディオ出力にミュート処理を行なうミュート回路と、を備える。
【００１６】
本発明によると、デジタル制御回路は、所定の値以下になると、この所定の値以下とならない程度に等しい基準電圧にＡ／Ｄ変換回路が有する基準電圧を切換えるので、Ａ／Ｄ変換回路は、所定の値以下（ただし、０より大）の値についてＡ／Ｄ変換回路が有する分解能のデジタル値に変換する。
【００１７】
したがって、このデジタル値から生成されるミュート信号に応じてミュート処理されたオーディオ出力レベルは、受信電界強度のフルレンジに対してＡ／Ｄ変換して得るデジタル値から生成されるミュート信号に応じてミュート処理されたオーディオ出力レベルと比較して、受信電界強度の低下に応じて段階的に低下する際の段差を小さくすることが可能となる。
【００１８】
また、本発明に係るソフトミュート回路は、受信電界強度の全範囲に対応した大きさの第１の基準電圧と、受信電界強度の所定のソフトミュート制御範囲に対応した大きさの第２の基準電圧と、を選択的に切換え可能であり、選択された方の基準電圧と受信電界強度との比較に基づいて該受信電界強度をデジタル値に変換するＡ／Ｄ変換手段と、受信電界強度が前記ソフトミュート制御範囲外にある場合は前記Ａ／Ｄ変換手段の基準電圧を前記第１の基準電圧に切替え、一方、受信電界強度が前記ソフトミュート制御範囲内にある場合は前記Ａ／Ｄ変換手段の基準電圧を前記第２の基準電圧に切換える基準電圧切換制御手段と、前記Ａ／Ｄ変換手段から出力された前記デジタル値に応じたミュート信号を生成するミュート信号生成手段と、該ミュート信号生成手段からのミュート信号に応じてオーディオ出力にミュート処理を行なうミュート手段と、を備えるものであっても同様の効果を奏する。
【００１９】
すなわち、受信電界強度が前記ソフトミュート制御範囲内にある場合には前記Ａ／Ｄ変換手段の基準電圧を前記第２の基準電圧に切換え、この第２の基準電圧に基づいて受信電界強度をデジタル変換するので、このデジタル値から生成されるミュート信号に応じてミュート処理されたオーディオ出力レベルは、第１の基準電圧に基づいてＡ／Ｄ変換して得るデジタル値から生成されるミュート信号に応じてミュート処理されたオーディオ出力レベルと比較して、受信電界強度の低下に応じて段階的に低下する際の段差を小さくすることが可能となる。
【発明の効果】
【００２０】
以上のように、本発明によると、分解能を上げることなくスムーズなミュート処理を行なうソフトミュート回路を提供することが可能となる。
【発明を実施するための最良の形態】
【００２１】
以下、本発明の実施形態について図１から図５に基づいて説明する。なお、本実施形態に係るソフトミュート回路は、ｐチャンネルとｎチャンネルＭＯＳトランジスタを製造できるＣＭＯＳプロセスにより半導体回路基盤上に成形される。
【００２２】
図１は、本実施例に係るソフトミュート回路をＦＭラジオ受信機に使用した場合の構成例を示すブロック図である。
図１に示すＦＭラジオ受信機は、スーパへテロダイン方式のＦＭラジオ受信機の主要部であり、受信した放送波からステレオ信号を生成するためのＲＦ（Ｒａｄｉｏ  Ｆｒｅｑｕｅｎｃｙ）部２、ＩＦ（Ｉｎｔｅｒｍｅｄｉａｔｅ  Ｆｒｅｑｕｅｎｃｙ）部３、リミッタアンプ４、ＦＭ復調部５、及びステレオ復調部７と、受信電界強度を検出するＲＳＳＩ回路（Ｒｅｃｅｉｖｅｄ  Ｓｉｇｎａｌ  Ｓｔｒｅｎｇｔｈ  Ｉｎｄｉｃａｔｏｒ）８と、ＲＳＳＩ回路８で検出した受信電界強度（ＲＳＳＩ信号）をデジタル化するＡＤＣ回路９、ＲＳＳＩ信号に応じてミュート回路６を制御するデジタル制御部１０、及びＦＭ復調部５からのステレオ復調信号に対してミュート処理を施すミュート回路６と、を備えている。
【００２３】
アンテナ１で受信した放送波は、ＲＦ部２によって以降の処理に必要なレベルまで増幅されるとともに、希望波以外の信号が減衰される。そして、ＩＦ部３が備える、例えば、局部発振回路の信号と混合することによってＩＦ信号に変換される。
【００２４】
ＩＦ信号は、リミッタアンプ４で振幅が制限され振幅一定のＦＭ信号となる。そして、ＦＭ復調部５でＦＭ検波が行なわれ、ミュート回路６を介してステレオ復調部７に入力される。ステレオ復調部７では、ＦＭ信号からステレオ信号を生成しスピーカー等に出力される。
【００２５】
一方、リミッタアンプ４の出力信号（ＩＦ信号）は、ＲＳＳＩ回路８にも出力され、当該ＲＳＳＩ回路８において受信電界強度（ＲＳＳＩ信号）が検出される。検出されたＲＳＳＩ信号は、ＡＤＣ回路９でデジタル化されてデジタル制御部１０に入力される。デジタル制御部１０では、入力信号であるＲＳＳＩ信号（検出した受信電界強度）に応じて、ミュート信号を生成しミュート回路６に出力する。
【００２６】
ミュート回路６では、ＦＭ復調部５から入力されるステレオ復調信号に対してミュート信号に応じたミュート処理を行なうこととなる。すなわち、受信電界強度が小さくなるに応じて、ステレオ復調部７への出力信号レベルを小さくすることとなる。
【００２７】
また、デジタル制御部１０は、ＡＤＣ回路９からのＲＳＳＩ信号を監視し、受信電界強度が所定の信号レベル以下（ソフトミュート制御範囲）になると、ＡＤＣ回路９の電流源の切換えを行なう。すなわち、ＡＤＣ回路９の電流源を切換えることによってＡ／Ｄ変換時の基準電圧を変更して、ＡＤＣ回路９のフルレンジを狭くすることでＡＤＣ回路９の分解能を高くする。
【００２８】
Ａ／Ｄ変換する信号レベルの範囲をＲＳＳＩ信号に応じて切換えて、限定した範囲（ソフトミュート制御区間）の信号レベルに対するＡ／Ｄ変換時の分解能を上げることが可能となる。
【００２９】
以下、本発明の実施例に係るソフトミュート回路を構成するミュート回路６、ＡＤＣ回路９、及びデジタル制御部１０について説明する。
図２は、図１に示した本実施例に係るＡＤＣ回路９の構成例を示す図である。
【００３０】
図２に示すＡＤＣ回路９は、異なる電流源である第１の電流源及び第２の電流源２１と、ｎ個の抵抗Ｒ１〜Ｒｎと、第１の電流源２０若しくは第２の電流源２１と抵抗Ｒ１〜Ｒｎで生成する基準電圧とＲＳＳＩ信号とを比較するためのコンパレータ２２と、コンパレータ２２の出力信号をデジタル化するＡＤＣ処理回路２３と、を備えている。
【００３１】
また、ＡＤＣ回路９は、第１の電流源２０又は第２の電流源２１をデジタル制御部１０からの指示に応じて選択的に切換えるためのスイッチＳＷａ及びＳＷｂと、ＡＤＣ処理回路２３の指示に応じて抵抗Ｒ１〜Ｒｎを切換えるスイッチＳ１〜ＳＷｎ−１とを備えている。
【００３２】
第１の電流源２０と第２の電流源２１は、それぞれ電流Ｊ１、Ｊ２（＞Ｊ１）の電流源であり、第１の電流源２０及び抵抗Ｒ１〜Ｒｎによって以下に示す基準電圧Ｖｔを生成し、第２の電流源２１及び抵抗Ｒ１〜Ｒｎによって以下に示す基準電圧Ｖｍａｘを生成する。
【００３３】
すなわち、第１の電流源２０は、ソフトミュート制御区間のみのＲＳＳＩ信号をデジタル変換するに必要な基準電圧を生成できる程度の小さい電流源であり、第２の電流源２１は、ＲＳＳＩ信号の全範囲をデジタル変換するに必要な基準電圧を生成できる大きさの電流源である。
【００３４】
そして、これら第１の電流源２０及び第２の電流源２１は、デジタル制御部１０がＳＷａ及びＳＷｂのＯＮ／ＯＦＦを制御することによって選択的に切換えられる。
ここで、ＲＳＳＩ信号の範囲をＶｍｉｎ〜Ｖｍａｘとし、ソフトミュート制御区間をＶｍｉｎ〜Ｖｔ（閾値）とすると、デジタル制御部１０は、ＡＤＣ回路９から入力されるデジタル化されたＲＳＳＩ信号と例えばデジタル制御部１０が備えるレジスタに格納されたＶｔとを比較し、ＡＤＣ回路９からの入力信号がＶｔ以下の時には、ＳＷａをＯＮ状態、ＳＷｂをＯＦＦ状態に制御し、入力信号がＶｔ以上の時には、ＳＷａをＯＦＦ状態、ＳＷｂをＯＮ状態に制御する。
【００３５】
第１の電流源２０又は第２の電流源２１からの電流は、抵抗Ｒ１〜Ｒｎを流れることによって各抵抗で電圧降下が発生する。そして、各抵抗での電位（基準電位）は、コンパレータ２２に入力されてＲＳＳＩ信号と比較される。
【００３６】
この時、ＡＤＣ処理回路２３は、ＳＷ１〜ＳＷｎ−１を順次ＯＮ状態に切換えて、各抵抗での電位を選択し、この選択した電位とＲＳＳＩ信号とコンパレータ２２で比較して一致した電位（基準電位）をｎビットのデジタル信号に変換する。そして、変換されたデジタル信号は、デジタル制御部１０に入力されることとなる。
【００３７】
以上に説明したように、Ｖｍｉｎ〜Ｖｔの範囲のＲＳＳＩ信号は、ｎビットの分解能に変換されるので、より高精度にＲＳＳＩ信号を検出することが可能となる。したがって、デジタル制御部１０で生成するミュート信号の精度を向上することが可能となるので、結果として、ミュート回路６でのよりスムーズなソフトミュート処理を可能とする効果を奏する。
【００３８】
なお、デジタル制御部１０は、ＣＰＵを備えた演算回路で構成し、プログラムに記載された命令に従ってＣＰＵに演算をさせることによって実現してもよいし、ＤＨＬ（Ｈａｒｄｗａｒｅ  Ｄｅｓｃｒｉｐｔｉｏｎ  Ｌａｎｇｕａｇｅ）やＣＰＬＤ（Ｃｏｍｐｌｅｘ  Ｐｒｏｇｒａｍｍａｂｌｅ  Ｌｏｇｉｃ  Ｄｅｖｉｃｅ）といったプログラマブル論理回路によって実現してもよい。
【００３９】
以上の説明では、ＳＷａとＳＷｂとをＲＳＳＩ信号に応じて選択的にＯＮ状態とするように切換えているが、これに限定する趣旨ではなく、例えば、ＳＷａとＳＷｂがＯＮ状態の場合と、ＳＷａのみがＯＮの状態と、ＳＷｂのみがＯＮの状態と、をＲＳＳＩ信号に応じて切換えても良い。
【００４０】
この場合、デジタル制御部１０には、閾値Ｖｔ１及びＶｔ２（＞Ｖｔ１）を持たせてＲＳＳＩ信号がＶｍｉｎ〜Ｖｔ１の時にはＳＷａをＯＮ状態とし、Ｖｔ１〜Ｖｔ２の時にはＳＷｂをＯＮ状態とし、Ｖｔ２〜Ｖｍａｘの時にはＳＷａ及びＳＷｂをＯＮ状態とすればよい。
【００４１】
以上の説明において、第１の電流源２０と第２の電流源２１の２つの電流源を使用しているが、使用する電流源の数を限定する趣旨ではない。少なくとも２以上の電流源を選択的に切換えることによって、本実施例と同様の効果を得ることができる。
【００４２】
図３は、本実施例に係るＡＤＣ回路９によってデジタル化されたＲＳＳＩ信号と受信電界強度との関係を示す図である。
以下、説明を容易とするためにＡＤＣ回路９は４ビットの分解能を備えているとして説明するが、これに限定する趣旨ではない。
【００４３】
本実施例において、ＲＳＳＩ信号がＶｔ〜Ｖｍａｘの時には、第２の電流源２１が使用されるので、ＲＳＳＩ信号Ｖｍｉｎ〜Ｖｍａｘに対して、４ビットの分解能を持つデジタル値が生成される。
【００４４】
一方、ＲＳＳＩ信号がＶｍｉｎ〜Ｖｔの時には、第１の電流源２０が使用されるので、ＲＳＳＩ信号Ｖｍｉｎ〜Ｖｔに対して、４ビットの分解能を持つデジタル値が生成される。
【００４５】
したがって、図３に示すようにＲＳＳＩ信号Ｖｔ〜Ｖｍａｘの分解能に対してＲＳＳＩ信号Ｖｍｉｎ〜Ｖｔの分解能の方が高いことがわかる。すなわち、ソフトミュート制御区間におけるＲＳＳＩ信号をより高い分解能で表すことが可能となっている。
【００４６】
図４は、本実施例に係るミュート回路６の構成例を示している。
本実施例に係るミュート回路６は、オペアンプ４０と、抵抗Ｒａ及び抵抗Ｒ１〜Ｒｎと、から構成されている。
【００４７】
抵抗Ｒ１〜Ｒｎは直列に接続されており、抵抗Ｒ１〜Ｒｎの抵抗値ｒ１〜ｒｎは、それぞれ同一又は異なる抵抗値を有する。また、各抵抗間にはＳＷ１〜ＳＷｎが接続され、デジタル制御部１０からのミュート信号に応じてＯＮ／ＯＦＦを切換えることによって、抵抗値をｒ１〜ｒ１＋ｒ２＋・・・＋ｒｎまで変化することができる。
【００４８】
デジタル制御部１０は、ＡＤＣ回路９でデジタル化されたＲＳＳＩ信号の大きさがＶｔ以下の場合に、その信号の大きさに応じて順次ＳＷ１〜ＳＷｎのいずれか１つのスイッチをＯＮ状態にする。
【００４９】
例えば、図３に説明したように、ＡＤＣ回路９が４ビットの分解能を備えている場合、図４に示したミュート回路６には抵抗Ｒ１〜Ｒ１６、ＳＷ１〜ＳＷ１６を設ける。
そして、デジタル制御部１０は、ソフトミュート制御区間以外の場合には、ＳＷ１６をＯＮ状態とする。また、ソフトミュート制御区間の場合には、ＡＤＣ回路９からの信号（４ビットの分解能）が「１１１１（２進数、以下同じ）」以上の場合にＳＷ１５をＯＮ状態にする。
【００５０】
また、ＡＤＣ回路９からの信号が「１１１０」の場合には、ＳＷ１４をＯＮ状態にする。同様に、順次ＡＤＣ回路９からの信号に応じてＳＷ２〜ＳＷ１４をＯＮ状態にし、ＡＤＣ回路９からの信号が「０００１」以下の場合には、ＳＷ１をＯＮ状態にすればよい。
【００５１】
ここで、デジタル制御部１０がミュート信号によって上述のようにスイッチＳＷ１〜ＳＷｎを切換えるためには、例えば、ｐチャネルＭＯＳトランジスタとｎチャネルＭＯＳトランジスタとを並列に接続して構成するトランスファーゲートを使用し、対象のスイッチを構成するトランスファーゲートのゲート電圧をＨｉｇｈにするミュート信号を生成すればよい。
【００５２】
オペアンプ４０の利得は、抵抗Ｒａと抵抗Ｒ１〜Ｒｎの比、すなわち、ΣＲｉ／Ｒａ（ｉは１〜ｎの自然数）で決定されるので、上述のようにデジタル制御部１０からのミュート信号によってｒ１／Ｒａ〜（ｒ１＋ｒ２＋・・・＋ｒｎ）／Ｒａまで制御することができる。
【００５３】
以上に説明した処理によって、ＦＭ復調部５で復調されたステレオ復号信号は、オペアンプ４０においてデジタル制御部１０からのミュート信号に応じたミュート処理が行なわれてステレオ復調部７に出力される。
【００５４】
図５は、本実施例に係るミュート回路６と受信電界強度との関係を示す図である。
図３と同様に、説明を容易とするためにＡＤＣ回路９は４ビットの分解能を備えているとして説明するが、これに限定する趣旨ではない。
【００５５】
本実施例において、ＲＳＳＩ信号がＶｔ〜Ｖｍａｘの時には、図４で説明したようにＳＷ１６がＯＮ状態となる。したがって、ＲＳＳＩ信号Ｖｍｉｎ〜Ｖｍａｘに対して４ビットの分解能を持つＲＳＳＩ信号（デジタル値）が生成されてデジタル制御部１０に入力される。
【００５６】
この時、オペアンプ４０の利得は最大であるので、オーディオ出力レベルは最大値のまま一定となる。
一方、ＲＳＳＩ信号がＶｍｉｎ〜Ｖｔの時には、ＲＳＳＩ信号Ｖｍｉｎ〜Ｖｔに対して、４ビットの分解能を持つＲＳＳＩ信号（デジタル値）が生成されるので、ＲＳＳＩ信号がＶｔから低下するに応じて順次ＳＷ１５、ＳＷ１４、・・・、ＳＷ１がＯＮ状態となるように制御される。
【００５７】
したがって、図５に示すように、ソフトミュート制御区間のオーディオ出力レベルは、図９に示したソフトミュート制御区間のオーディオ出力レベルに比べて段差の小さいソフトミュート制御が行なわれていることがわかる。
【００５８】
以上に説明したように、本発明によるとＡＤＣ回路９の分解能を上げることなくミュート制御区間のＲＳＳＩ信号に対する分解能を上げることができるので、回路規模を大きくすることなく、デジタル制御のソフトミュート回路によってミュート処理されたオーディオ出力の切り替わり段差を小さくすることが可能となる。
【図面の簡単な説明】
【００５９】
【図１】本実施例に係るソフトミュート回路をＦＭラジオ受信機に使用した場合の構成例を示すブロック図である。
【図２】図１に示した本実施例に係るＡＤＣ回路の構成例を示す図である。
【図３】本実施例に係るＡＤＣ回路によってデジタル化されたＲＳＳＩ信号と受信電界強度との関係を示す図である。
【図４】本実施例に係るソフトミュート回路の構成例を示している。
【図５】本実施例に係るソフトミュート回路と受信電界強度との関係を示す図である。
【図６】ソフトミュート回路を備えるＦＭラジオ受信機の従来例を示す図である。
【図７】図６に示したＡＤＣ回路の構成例を示す図である。
【図８】図６に示したＡＤＣ回路の出力波形を示す図である。
【図９】図６に示したソフトミュート回路の出力波形を示す図である。
【符号の説明】
【００６０】
１      ・・・  アンテナ
２      ・・・  ＲＦ部
３      ・・・  ＩＦ部
４      ・・・  リミッタアンプ
５      ・・・  ＦＭ復調部
６      ・・・  ソフトミュート回路
７      ・・・  ステレオ復調部
８      ・・・  ＲＳＳＩ回路
９      ・・・  ＡＤＣ回路
１０      ・・・  デジタル制御部
２０      ・・・  第１の電流源
２１      ・・・  第２の電流源
２２      ・・・  オペアンプ
２３      ・・・  ＡＤＣ処理回路
【図１】
2006246267.tif 000003
【図２】
2006246267.tif 000004
【図３】
2006246267.tif 000005
【図４】
2006246267.tif 000006
【図５】
2006246267.tif 000007
【図６】
2006246267.tif 000008
【図７】
2006246267.tif 000009
【図８】
2006246267.tif 000010
【図９】
2006246267.tif 000011